(57)【要約】      （修正有）【課題】フェーン・ウエーブを直ちに形成できるようにする電動髪型整形装置を提供する。【解決手段】把持部分２内に収納された温風送風機と、電動回転し前記温風送風機で供給された空気流が流れるヘアブラシ３と、シャフト９と、前記シャフト９から突出したブラシとからなる電動髪型整形器において、ヘアブラシ３は、整形中の髪に接触するヘアブラシ３のシャフトのカバー表面８に接触して使用する際に、望みどおりの髪型の効果が現われように、ヘアブラシ３の回転に際し、カバー表面８に付いた髪による回転追従の効果がないようにあるいはほぼゼロになるよう、表面を形成し、ヘアブラシ３は、ヘアブラシ３の回転に際し、その密度と／或いはその剛性に基づいて、整形中の髪の回転追従が保証されるように、ブラシを有し、さらに、望ましい髪の回転追従は、ヘアブラシの回転の一部のみに行われることを特徴とする。【選択図】図１
0003111459.tif 000002
【実用新案登録請求の範囲】
【請求項１】
把持部分（２）内に収納された温風送風機と、電動回転し前記温風送風機で供給された空気流が流れるヘアブラシ（３，１７）と、シャフト（９）と、前記シャフト（９）から突出したブラシとからなる髪型整形器において、
前記ヘアブラシ（３，１７）は、整形中の髪に接触するヘアブラシ（３，１７）のシャフトのカバー表面（８，２４）に接触して使用する際に、望みどおりの髪型の効果が現われように、ヘアブラシ（３，１７）の回転に際し、カバー表面（８，２４）に付いた髪による回転追従の効果がないようにあるいはほぼゼロになるよう、表面を形成し、
前記ヘアブラシ（３，１７）は、ヘアブラシ（３，１７）の回転に際し、その密度と／或いはその剛性に基づいて、整形中の髪の回転追従が保証されるように、ブラシを有し、さらに、望ましい髪の回転追従は、ヘアブラシの回転の一部のみに行われる
ことを特徴とする髪型整形器。
【請求項２】
整形中の髪がヘアブラシ回転について１８０°以上回転追従することが可能なように、前記ブラシが形成される
ことを特徴とする請求項１記載の髪型整形器。
【請求項３】
前記ヘアブラシ（３，１７）の剛毛は、剛毛束（Ｂ）の配置により形成され、
個々の剛毛束（Ｂ）が、ヘアブラシ（３，１７）の取り付け用凹部（１５，２２）に配置され、
前記ブラシ用開口（１６）は、その内側で剛毛束（Ｂ）から離間した離間開口を介して、ヘアブラシ（３，１７）のシャフト（９）のカバー表面（８，２４）から離間している
ことを特徴とする請求項１または２記載の髪型整形器。
【請求項４】
前記離間開口は、その長手軸がヘアブラシの回転方向を向いている細長い開口として連続して形成されている
ことを特徴とする請求項３記載の髪型整形器。
【請求項５】
前記離間開口（１６）は、その長手軸がヘアブラシ（３）の回転方向に対し斜行している細長い開口として連続して形成されている
ことを特徴とする請求項３記載の髪型整形器。
【請求項６】
前記離間開口（２３）と取り付け用凹部（２２）との間は、段で境界が形成されている
ことを特徴とする請求項３−５のいずれかに記載の髪型整形器。
【請求項７】
前記ヘアブラシ（３）は、内筒（１２）を包囲し、
前記内筒（１２）内に剛毛束（Ｂ）が係止され、
前記ヘアブラシ（３）のカバー表面（８）を形成し、ブラシ用開口（１６）が形成されたケース（１０）が、内筒（１２）を同軸状に包囲する
ことを特徴とする請求項１−３のいずれかに記載の髪型整形器。
【請求項８】
前記ケース（１０）は、円筒状間隙（１１）を保持しながら、内筒（１２）の周囲に同軸状に配置されている
ことを特徴とする請求項７記載の髪型整形器。
【考案の詳細な説明】
【技術分野】
【０００１】
本考案は、電動髪型整形器に関し、特に、把持部分内に収納された温風送風機と、電動回転し前記温風送風機で供給された空気流が流れるヘアブラシと、シャフトと、このシャフトから突出したブラシとからなる電動髪型整形器に関する。
【背景技術】
【０００２】
この種の髪型整形装置は人の髪をカールさせるものである。電動モータで回転するへアブラシで髪型が形成され、髪を整形し髪型を変形させるのに使用される熱は温風流が与える。電気モータと温風送風機は、発熱機器と共に、手持部分として機能する円筒状容器内に収納される。ヘアブラシが回転している間、変形中の髪がヘアブラシに巻き込まれることにより、髪のカールが形成される。
【０００３】
剛毛及び／又はヘアブラシのカバー表面に絡みついた髪の回転追従の結果、カールさせるよう整形すべき髪が巻き込まれると、ヘアブラシの回転の結果として、髪の毛が捕まれる。整形させるべき髪の毛は、理論的には回転中のヘアブラシにより、ヘアブラシの回転よりも、多く追従する。これが前記した巻き込みの結果として発生したものである。このヘアブラシは、変形させるべき髪内に髪巻装置のように巻かれる。
【０００４】
この種の髪型整形装置の利用にあたって注意すべき点として、ヘアブラシを駆動する電動モータの電源は、ヘアブラシがカールさせる予定の髪束内に完全に巻き込まれる前に、適時に遮断される。それにより、回転するヘアブラシにより髪束の引っ張りが大きくなり過ぎないよう、必要によっては苦痛を与えないようにする。このような場合、髪に働く回転モーメントを制限するために、電動モータに供給される電流を、ヘアブラシを駆動する電動モータへの電流供給を、発熱装置への電圧以上で実現するようにして、制限する。
【０００５】
このような電動髪型整形装置は髪巻装置の配置に対する別の配置を提供する。この電動髪型整形装置では、時に好まれるような、ウエーブをつくりだすことはできない。いわゆるフェーン・ウエーブ（Foehnwellen）は、従来、ヘアブラシと頭髪乾燥機でのみで形成できるが、フェーン・ウエーブを形成するには高度の器用さが必要とされる。
【考案の開示】
【考案が解決しようとする課題】
【０００６】
本考案は、上記した最新技術から出発し、この電動髪型整形装置の入り口を更に工夫して、この髪型ウエーブ特にいわゆるフェーン・ウエーブを直ちに形成できるようする課題に基づいてなされた。
【課題を解決するための手段】
【０００７】
前記課題は、本考案により、前述の種類に従った髪型整形装置の入り口により解決される。その際、前記ヘアブラシは、整形中の髪に接触するヘアブラシのシャフトのカバー表面に接触して使用する際に、望みどおりの髪型の効果が現われように、ヘアブラシの回転に際し、カバー表面に付いた髪による回転追従の効果がないようにあるいはほぼゼロになるよう、表面を形成し、前記ヘアブラシは、ヘアブラシの回転に際し、その密度と／或いはその剛性に基づいて、整形中の髪の回転追従が保証されるように、ブラシを有し、さらに、望ましい髪の回転追従は、ヘアブラシの回転の一部のみに行われる。
【０００８】
この電動髪型整形装置においては、ヘアブラシの形成は、整形中の髪に係る巻き込みが起こるが、この巻き込みは理論的には整形中の髪へのヘアブラシの完全な巻き込みは回避するよう行われる。ある程度の巻き込みは、整形中の髪を作られるウエーブに基づく形にウエーブの形を保持するのに必要な時間だけ保持するために、必要である。温風が供給する熱により髪型整形プロセスが実行される。その際、目的に合わせてエアブラシの技術に従ってヘアブラシが形成される。ヘアブラシを流れる温風流が、ヘアブラシの流入チャネル内に入り、そこからヘアブラシ内に存在する空気出口開口を介して半径方向に放出される。
【０００９】
ヘアブラシの回転に際し、整形中の髪の前述した条件付きの巻き込みは、ヘアブラシのシャフトのカバー表面の外側表面に向いた半径方向に、整形中の髪の巻き込みがないか、せいぜい無視できる程度の小さな巻き込みしか生じないような性質を持たせるようにして実現する。そのためこの表面は、その目的に合わせて、極度に平面状であるか、あるいはヘアブラシの回転中は整形途中の髪が絡まないような層を形成している。この層は、実施例では、ポリテトラフルオロエチレン製の層である。この技術によるヘアブラシのシャフトの表面の形成により、整形中の髪の巻き込みは専ら剛毛が行う。
【００１０】
これは、その密度が剛性に関しては、ヘアブラシの回転に際し、一方では整形中の髪の巻き込みが行われ、他方では、巻き込みはヘアブラシの回転の一部分（例えば、１８０°以上）のみとなるように行われる。これにより、回転するヘアブラシの整形中の髪の巻き込みが効果的に防止される。ヘアブラシの形成は、整形中の髪の巻き込みが１８０°から最大２７０°までになるように行われる。処理時間と処理方法により、このようなヘアブラシで様々な種類の髪型の波が形成できる。
【００１１】
このヘアブラシの剛毛（剛毛）は、その剛毛の密度に関し、適度の剛性（こわさ）を有するものと見なすことができる。個々の剛毛束は、頭髪乾燥機のカバーに対して合目的的に深く係止されている。その際考慮されるべき点は、剛毛束の脚部のカバー表面への固有の係止は、離間開口を介して離間配置される。離間開口の内に向いた側は、剛毛束の外周表面から離間し、その結果、剛毛束は離間開口の内側を前後に動くことができる。
【００１２】
この離間開口は次の目的に寄与する。即ちその目的とは、ヘアブラシのシャフトのカバー表面にある剛毛束が柔軟性を示し、これらの領域で緩んだ状態にすることである。この種の剛毛束に絡んだ髪により、髪が乾燥機のカバー方向に引かれた時に、剛毛束の個々の髪の間を滑って通り、個々の剛毛の毛の間で押しつけられない。
【００１３】
頭髪乾燥機のカバーの領域内で剛毛束の柔軟さを提供する離間開口は、様々な形状をとることができる。例えば、離間開口は円形の横断面を有する開口である。同様に、離間開口を方形開口にも形成可能である。その際、このような形状においては、方形開口の長手方向は、目的に応じて、少なくともヘアブラシの回転方向に向いた部分を有する。これらは、例えば、方形開口の場合には、その長手軸が、ヘアブラシの回転方向に有るか、あるいは長手軸が回転方向に対し斜行している。
【００１４】
この離間開口は、剛毛束を係止するために、係止孔に直接境を接する。それにより、階段状の開口が形成される。また別の形状でが、剛毛束が内筒内に係止され、内筒と同軸のケースがそれを包囲している。ケースの外側ヘアブラシのカバー表面を形成する。ケースは外側で、例えばクロムメッキされており、表面は平坦になっている。このケースは、離間開口にブラシ用開口を形成する。他の実施例では、ケースを内筒から離間して配置し、これにより内筒とケースとの間に円筒状間隙が形成される。この円筒状間隙は、係止開口とケースを貫通して形成されたシャフトの表面からの剛毛出口まで距離である。他の実施例においては、空気流の流れに役立つために、空気流は、離間開口として機能するケースの剛毛開口を介して整形途中の髪に供給される。
【００１５】
この電動髪型整形装置において、ヘアブラシの整形中の髪の巻き込みの可能性が企図どおりない場合には、電動モータの性能をより強力にできる。これは、電動モータは、温風送風機の発熱装置にかかる電圧以上でないようにすることにより、あるいは、髪型整形装置がヘアブラシの回転用に配置された電動モータに対する特別の電流接続装置（例えばトランス）を有するようにすることにより行われる。ヘアブラシは、より速い回転速度で動作させることも可能である。中でも、発熱装置の導電性能の観点から、無損失にしなければならない。
【実施例】
【００１６】
電動髪型整形装置１は、把持部分２とヘアブラシ３から構成される。把持部分２内には電気温風送風機が配置されている。このため把持部分２は、その後端部に空気流入口を有する。この温風送風機は、送風機と電気発熱装置を収納し、この発熱装置を介して送風機により供給された空気流が加熱用に供給される。把持部分２の遠方には、電気モータが配置されている。この電気モータは、ヘアブラシ３の駆動用であり、このヘアブラシ３は、電気モータの主軸とトルク伝達が可能なように必要によっては機械的に接続／連結される。ヘアブラシ３がその上に搭載されるモータの駆動軸は、図１では参照番号４で示されている。この軸４は、把持部分２の前方出口から軸方向に突き出ている。把持部分２の前方の開口５は、把持部分２内を流れる温風流用の空気出口開口としても同様に機能する。この軸４は中空な軸として形成され、温風送風機により供給された温風が軸４の内部を流動できるよう流入口６有する。この構成により、温風の少なくとも一部がヘアブラシ３の流入チャネル内に供給される。この流入チャネルは、ヘアブラシ３のカバー表面８と空気出口７を介して連結される。その結果、ヘアブラシ３の流入チャネル内を流れる空気流が、空気出口７から流出し、整形途中の毛髪に供給される。ヘアブラシ３は、その前面で軸４に対向して端部で閉じている。
【００１７】
ヘアブラシ３は、カバー表面８を具備したほぼ円筒状のシャフト９から形成されている。シャフト９のカバー表面８は、この実施例では、ケース１０で形成され、このケース１０は、円筒状間隙１１（図２を参照）を保持した状態で、内筒１２を同心状に包囲している。この内筒１２が、前記のヘアブラシ３の流入チャネル１３を包囲する。ケース１０は、内筒１２に円筒状の突起物１４を介して支持されている。
【００１８】
内筒１２は、ヘアブラシ３の剛毛束Ｂを保持する。このために、内筒１２内に取り付け凹部１５が形成され、取り付け凹部１５内に剛毛束Ｂがその脚部で固定／係止されている。ケース１０にはブラシ用開口１６が形成され、この剛毛用開口１６を介して剛毛束Ｂが貫通して伸びている。ケース１０の剛毛用開口１６はある内部幅を有し、それは剛毛束Ｂを係止するために開けられた取り付け凹部１５より大きな直径を有する。この構成により、各剛毛束Ｂは、ブラシ用開口１６内で直ちに前後（左右）に動揺することができる。特に、剛毛束Ｂの個々の剛毛は、ブラシ用開口１６を介して一緒におされることはない。この実施例においては、ブラシ用開口１６の形状は細長い形状をしている。その形状は、長さ方向がヘアブラシ３の回転方向に斜行して伸びている（図１を参照されたい）。概観の半分を図１に、個々の剛毛束Ｂのみを示している。
【００１９】
内筒１２は軸４とトルク伝達が可能なように結合されている。カール（巻き毛）を形成するために電動髪型整形装置１の動作に際し、温風送風機から供給された空気流は、少なくとも、内筒１２の流入チャネル１３内と、ケース１０を介して形成された円筒状間隙１１内をその大きさに按分して流れる。流入チャネル１３からの温風流は、空気出口７を介してヘアブラシ３から半径方向に向けて外に放出される。内筒１２の空気出口７と同列に、ケース１０は、それに対応した空気出口開口が形成されている。円筒状間隙１１の内部では、円筒状間隙１１内に供給された空気流との混合が生成され、暖められた空気がブラシ用開口１６から放出される。この温風流により供給された熱が、この構成により、整形中の髪に直接供給される。
【００２０】
ヘアブラシ３の剛毛は、その密度と剛毛束Ｂの硬さを適宜選択して、ヘアブラシ３の回転に際し、ヘアブラシ３に絡みついた髪が約１８０°あるいはそれ以上回転追従するように、構成される。この理由から、ケース１０は、その表面がクロムメッキされ、特に滑らかになっている。そのため、髪がシャフト９のカバー表面８に絡みつかず、回転するヘアブラシ３に髪は回転追従しない。シャフト９のカバー表面８から、内筒１２の取り付け凹部１５の剛毛の係止までの距離により、ブラシ用開口１６を通る際に剛毛束Ｂが比較的柔軟特性を示すようになる。その結果、剛毛束Ｂと絡み合った髪は、剛毛束Ｂの個々の剛毛の間に挟まらず、ブラシの回転に際し、髪の条件付きの回転追従が得られるようになる。ヘアブラシ３は、その回転に際し、ブラシ用開口１６内でのその曲がりやすさ故に、ほとんど損傷することはない。望まれることは、整形中の髪の条件付き回転追従効果である。ヘアブラシ３は全体としてほどよい剛性を有するものと見なせる。
【００２１】
この髪型整形装置１で髪を整形する際に、ヘアブラシ３による髪の回転追従により、約１８０°のウエーブが形成される。その際、ヘアブラシ３を介した髪の回転追従は、特に望んだとおりのウエーブにするために寄与する。それ故に、回転するヘアブラシ３は、ウエーブ形成具として機能し、温風流により供給される熱による髪型形成プロセスが行われる。
【００２２】
図３は、人の髪にウエーブを形成する別の実施例のヘアブラシ１７を示し、図１，２のヘアブラシ３と同じ原理が用いられる。ヘアブラシ３との相違は、ヘアブラシ１７が円筒状間隙１１を有さない点である。内筒１８は、等しく流入チャネル１９を包囲する。流入チャネル１９は、空気出口２０を介して、ヘアブラシ１７の外側カバー表面と結合される。剛毛束Ｂは、内筒１８の内の階段状に形成された開口２１で半径方向に固定される。その際、最も深い断面のみが取り付け用凹部２２として機能する。開口２１の上の部分、部分２３は離間開口として機能する。剛毛束Ｂの望ましい特質が引き出せるように、部分２３の内径は、取り付け用凹部２２の直径より大きい。ヘアブラシ１７のカバー表面２４は、ＰＴＦＥ層を具備している。この層は、図３では、参照番号２５で示されている。層２５は、整形中の髪と７のカバー表面２４との間の絡み（少なくとも大きな絡み）が発生しないようにしている。この剛毛束Ｂは、前述したヘアブラシ３の剛毛束Ｂと同様に、ヘアブラシ１７の回転に反応する。
【００２３】
本考案の第１の変形例としては、電動髪整形装置にイオン化装置を具備して、整髪プロセスの際の電子放出から保護する構成も可能である。第２の変形例としては、ヘアブラシを電動軸上に解放可能に配置して様々な直径のヘアブラシを形成することも可能である。このようなヘアブラシをかざりとして形成することも可能である。
【００２４】
以上の説明は、本考案の一実施例に関するもので、この技術分野の当業者であれば、本考案の種々の変形例を考え得るが、それらはいずれも本考案の技術的範囲に包含される。特許請求の範囲の構成要素の後に記載した括弧内の番号は、図面の部品番号に対応し、考案の容易なる理解の為に付したものであり、考案を限定的に解釈するために用いてはならない。また、同一番号でも明細書と特許請求の範囲の部品名は必ずしも同一ではない。これは上記した理由による。
【図面の簡単な説明】
【００２５】
【図１】回転駆動するヘアブラシを具備した電気髪型整形装置の概略斜視図
【図２】図１のヘアブラシの軸方向拡大断面図
【図３】前記髪型整形装置の他の実施例のヘアブラシの軸方向断面図
【符号の説明】
【００２６】
１  髪型整形装置
２  把持部分
３  ヘアブラシ
４  軸
５  開口
６  流通口
７  空気出口
８  カバー表面
９  シャフト
１０  ケース
１１  円筒状間隙
１２  内筒
１３  流入チャネル
１４  突起物
１５  取り付け凹部
１６  ブラシ用開口
１７  ヘアブラシ
１８  内筒
１９  流入チャネル
２０  空気出口
２１  開口
２２  取り付け用凹部
２３  離間開口
２４  カバー表面
２５  層
Ｂ  ブラシ
【図１】
0003111459.tif 000003
【図２】
0003111459.tif 000004
【図３】
0003111459.tif 000005